(57)【要約】  【課題】  USB機器間を安定して接続するためのUSB接続安定化装置を提供する。  【解決手段】  パソコン３とUSB接続ビデオカメラ２との間のUSB接続安定化装置１は、USB端子５，６とコンデンサ７、タイマー回路８、継電器９及び継電器１０を有し、USB接続ビデオカメラ２の電源供給VCC2,GND2と信号入出力D+2,D-2をタイマー回路８により同時に起動する。  【選択図】  図２
0003220753.tif 000002
【実用新案登録請求の範囲】
【請求項１】
第１、第２のUSB端子と、
前記第１のUSB端子の前記電源端子に接続されたタイマー回路と、
前記第１のUSB端子の前記電源端子と前記第２のUSB端子の電源端子との間に接続され、前記タイマー回路によって動作される第１の継電器と、
前記第１のUSB端子の信号出力端子と前記第２のUSB端子の信号出力端子との間に接続され、前記タイマー回路によって動作される第２の継電器とを具備し、前記第１、第２の継電器は前記タイマー回路によって同時に動作するようにしたUSB接続安定化装置。
【請求項２】
さらに、前記第１のUSB端子の電源端子に接続されたコンデンサを具備する請求項１に記載のUSB接続安定化装置。
【請求項３】
前記第１のUSB端子はリード線付USB端子である請求項１に記載のUSB接続安定化装置。
【考案の詳細な説明】
【技術分野】
【０００１】
本考案はユニバーサル・シリアル・バス（USB）でパソコンに接続したときUSB大容量記録装置として認識されるUSB接続ビデオカメラ等の接続のためのUSB接続安定化装置に関する。
【背景技術】
【０００２】
一般に、USB大容量記憶装置は外付け記憶媒体の一つでパソコンのUSBポート（接続口）にUSB端子を直接に接続してデータを読み書きする外部記憶装置としてのUSBメモリ及び動画をパソコンに撮り込むときUSB大容量記録装置として認識されるUSB接続ビデオカメラ等がある。USBメモリは容量が大きく、小型・軽量で持ち運びが容易であること、ディスク型記録メディアに比べても衝撃に強く、一方、USB接続ビデオカメラはパソコンのUSBポートに直接接続するだけで使用できるので、あらゆる動く事象及び生体をパソコン応用して記録又は監視する機器として使用されている。
【０００３】
従来、たとえば、USB接続ビデオカメラは使用電源がパソコンのUSBポートからの電圧5Vが直接供給されて、カメラのシステムが作動し、かつ、パソコンにインストールしたUSB接続ビデオカメラ用ドライバソフトウェアと相まって駆動する。
【先行技術文献】
【特許文献】
【０００４】
【特許文献１】特開2012-195246号公報
【考案の概要】
【考案が解決しようとする課題】
【０００５】
しかしながら、上述の従来の技術において、パソコン起動時にUSB端子が接続していてカメラのシステムが作動している場合、インストールされたUSB接続ビデオカメラのドライバの準備時間が必要なのでUSB接続ビデオカメラを認識できない、又、USB端子への接触で接続完了後一瞬の端子接続外れにより電源供給及び信号授受途切れが原因でカメラのシステムの停止してしまう等の課題がある。
【課題を解決するための手段】
【０００６】
上述の課題を解決するために、本考案に係るUSB接続安定化装置は、
第１、第２のUSB端子と、
前記第１のUSB端子の前記電源端子に接続されたタイマー回路と、
前記第１のUSB端子の前記電源端子と前記第２のUSB端子の電源端子との間に接続され、前記タイマー回路によって動作される第１の継電器と、
前記第１のUSB端子の信号出力端子と前記第２のUSB端子の信号出力端子との間に接続され、前記タイマー回路によって動作される第２の継電器とを具備し、前記第１、第２の継電器は前記タイマー回路によって同時に動作するようにしたものである。      
【考案の効果】
【０００７】
本考案によれば、第２のUSB端子の電源電圧及び信号入出力とがタイマー回路によって同時に起動するので、USB機器間たとえばパソコンとUSB接続ビデオカメラとを安定的に接続できる。
【図面の簡単な説明】
【０００８】
【図１】本考案に係るUSB接続安定化装置の実施の形態を含む全体システムを示す図である。
【図２】図１のUSB接続安定化装置の詳細なブロック図である。
【図３】図２のUSB接続安定化装置の動作を説明するためのタイミング図である。
【図４】図２のUSB接続安定化装置においてコンデンサがない場合の動作を説明するためのタイミング図である。
【考案を実施するための形態】
【０００９】
考案の実施の形態について図１、図２を参照して説明する。
【００１０】
本考案に係るUSB接続安定化装置１の実施の形態を含む全体システム示す図１において、USB接続ビデオカメラ２はカメラ２のケーブル２’の先端のUSB端子２aを介してUSB接続安定化装置１のカメラ２側に接続する。一方、USB接続安定化装置１とパソコン３とは中継ケーブル４のUSB端子４a及びUSB端子４bを介して接続する。尚、中継ケーブル４の代わりにUSB端子４a及びUSB端子４bのみで構成されるUSB中継コネクタ又はUSB接続安定化装置１と一体のリード線付USB端子を使用することも可能である。
【００１１】
従来のごとく、USB接続安定化装置１の介在なしにUSB接続ビデオカメラ２のUSB端子２aをパソコン３のUSBポート３aに直接つないで使用するとき、USB端子２aの各接点の許容外時間差接続による駆動不良や、USB接続ビデオカメラ２の特性にもよるがUSB接続が接触等の外力要因で外的電源が瞬間的に切断・復帰でUSBコネクタを一旦取り外し改めて差し込まなければビデオカメラ２のシステムを再駆動できないことになる。
【００１２】
図２は図１のUSB接続安定化装置１の詳細なブロック図である。USB接続安定化装置１はUSB端子５，６、コンデンサ７、タイマー回路８、継電器９、継電器１０を備え、パソコン３のUSB端子４aとUSB接続ビデオカメラ２のUSB端子２aとの間に電気的に接続する。
【００１３】
USB端子５には図１の中継ケーブル４のUSB端子４aを接続し、中継ケーブル４のUSB端子４bは図１のパソコン３のUSBポート３aに接続する。パソコン３の電源がオンの場合USB端子５のVCC1とGND1がUSB接続安定化装置１内の供給電圧VCC１と供給電圧GND１となりそのVCC-GND間電圧はコンデンサ７、タイマー回路８、継電器９及び継電器１０に印加される。
【００１４】
図３を説明すると、タイマー回路８に+5Vが印加した結果、タイマー機能が作動し始めて設定時間に達してタイマー出力TMがオンになった時点で、タイマー出力TMのオン信号を受け継電器９及び継電器１０が同時にオンとなり各継電器９，１０の接点が閉となる。従って、USB端子５の電圧VCC1、GND1の立上りに遅れて信号入出力D+1、D-1が立上がってもタイマー回路８によってUSB端子６の供給電圧VCC2、GND2と信号入出力D+2、D-2とは同時に立上る。
【００１５】
このように、タイマー出力TMのオン時に、USB端子６の電圧出力VCC2、GND2と信号入出力D+2、D-2とは図１のUSB端子２aを介してUSB接続ビデオカメラ２の電源入力、信号入出力としてパソコン３と接続状態になる。
【００１６】
タイマー回路８の設定時間をパソコン３の電源オン後に作動するパソコン３に設定されたUSB接続ビデオカメラ用２のドライバソフトウェア準備完了（D+1,D-1準備完了）時間より長くすることでUSB接続ビデオカメラ２の供給電源としてVCC2、GND2間電圧が加わり、信号入出力D+2、D-2も継電器９及び継電器１０により同時に準備完了（D+1,D-1準備完了）となる。これにより、パソコン３はUSB接続ビデオカメラ２を確実に認識することが可能になった。
【００１７】
尚、従来のごとく、USB接続ビデオカメラ２を直接パソコンのUSBポートに接続する際にそのUSB端子を傾いて挿入したとき、供給電源・信号入出力の各接続端子の接触に時間的なズレを生じパソコンがUSB接続ビデオカメラ２を認識できないことがある。しかし、本考案によれば、USB接続安定化装置１が継電器９及び継電器１０により各接続端子を同時にズレなく接続できるので確実に認識できる。
【００１８】
図３に示すごとく、タイマー回路設定時間後の時間Tにおいて、パソコン３のUSBポートと中継ケーブル４のUSB端子４bの接続が外力要因で瞬間的に切断・復帰したときの電圧波形をVCC1,GND1間電圧及びVCC2,GND2間電圧の凹み（減少）として示す。この場合、時間Tが短ければ、USB接続ビデオカメラ２の必要電力はコンデンサ７の充電電荷で充分供給できるので、両電圧は僅かな減少で済み、USB接続ビデオカメラ２は再認識なしで使用可能である。
【００１９】
尚、コンデンサ７がない場合、上記同様、時間Tにおいて瞬間的に切断・復帰したときに図４に示すごとく、VCC1,GND1間電圧及びVCC2,GND2間電圧は０となる。VCC2,GND2間電圧がUSB接続ビデオカメラ２の必要電力を供給できない程減少するので、カメラ２のシステムが停止する。この場合、パソコン３のUSBポート３aから中継ケーブル４のUSB端子４bを一旦抜き、改めて接続することによりカメラ２のシステムを再駆動する必要がある。
【００２０】
このように、コンデンサ７はパソコン３のUSBポート３aと中継ケーブル４のUSB端子４bとの接続が外力要因で瞬間的に切断・復帰したときのUSB接続ビデオカメラ駆動の信頼性を向上させるのに有効な手段となっている。
【００２１】
尚、USB3.0タイプ及びその他のタイプのUSBコネクタについても継電器の接点数をUSBピン数分設けることで対応可能である。
また、上述の実施の形態において、継電器９，１０を別体で構成しているが、一体構造にしてもよい。又、継電器１０はVCC1とVCC2との間のみに設け、GND1とGND2とは直接接続してもよい。
【産業上の利用可能性】
【００２２】
本考案のUSB接続安定化装置はUSB大容量記録装置として認識されるUSB接続ビデオカメラ又はUSBメモリをパソコンのUSBポートに接続して使用するシステムに適用できる。パソコン以外の電子機器とビデオカメラ以外の外部接続機器との間にも適用できる。
【符号の説明】
【００２３】
１        ：USB接続安定化装置
２        ：USB接続ビデオカメラ
２a       ：USB端子
３        ：パソコン
４        ：中継ケーブル
４a,４b   ：USB端子
５,６     ：USB端子
７        ：コンデンサ
８        ：タイマー回路
９,10     ：継電器
【図１】
0003220753.tif 000003
【図２】
0003220753.tif 000004
【図３】
0003220753.tif 000005
【図４】
0003220753.tif 000006
【手続補正書】
【提出日】平成31年1月18日(2019.1.18)
【手続補正１】
【補正対象書類名】実用新案登録請求の範囲
【補正対象項目名】全文
【補正方法】変更
【補正の内容】
【実用新案登録請求の範囲】
【請求項１】
第１、第２のUSB端子と、
前記第１のUSB端子の電源端子に接続されたタイマー回路と、
前記第１のUSB端子の電源端子と前記第２のUSB端子の電源端子との間に接続され、前記タイマー回路によって動作される第１の継電器と、
前記第１のUSB端子の信号入出力端子と前記第２のUSB端子の信号入出力端子との間に接続され、前記タイマー回路によって動作される第２の継電器とを具備し、前記第１、第２の継電器は前記タイマー回路によって同時に動作するようにしたUSB接続安定化装置。
【請求項２】
さらに、前記第１のUSB端子の電源端子に接続されたコンデンサを具備する請求項１に記載のUSB接続安定化装置。
【請求項３】
前記第１のUSB端子はリード線付USB端子である請求項１に記載のUSB接続安定化装置。
【手続補正２】
【補正対象書類名】明細書
【補正対象項目名】０００６
【補正方法】変更
【補正の内容】
【０００６】
上述の課題を解決するために、本考案に係るUSB接続安定化装置は、
第１、第２のUSB端子と、
前記第１のUSB端子の電源端子に接続されたタイマー回路と、
前記第１のUSB端子の電源端子と前記第２のUSB端子の電源端子との間に接続され、前記タイマー回路によって動作される第１の継電器と、
前記第１のUSB端子の信号入出力端子と前記第２のUSB端子の信号入出力端子との間に接続され、前記タイマー回路によって動作される第２の継電器とを具備し、前記第１、第２の継電器は前記タイマー回路によって同時に動作するようにしたものである。